(57)【要約】【課題】被写体が眼鏡をかけている場合にそれを検知でき、かつ、良好な虹彩パターンの画像を撮影することができる画像撮影装置を提供する。【解決手段】被写体の、互いに撮影距離の異なる複数の画像を撮影する画像撮影部４と、複数の画像の合焦度を算出する合焦度算出部５と、被写体が眼鏡を着用しているか否かを判定する眼鏡着用判定部６と、眼鏡着用判定部６において被写体が眼鏡を着用していると判定された場合に、複数の画像のうち、被写体に最も近い位置において合焦度が所定の閾値以上となる画像を合焦画像であると判定する合焦画像判定部７とを備えた。【選択図】  図１
2004328367.tif 000002
【特許請求の範囲】
【請求項１】
互いに撮影距離の異なる位置での被写体の画像を撮影する画像撮影部と、
前記画像撮影部で撮影された複数の画像のそれぞれの合焦度を算出する合焦度算出部と、
前記被写体が眼鏡を着用しているか否かを判定する眼鏡着用判定部と、
前記眼鏡着用判定部において前記被写体が眼鏡を着用していると判定された場合に、前記複数の画像のうち、前記被写体に最も近い位置において前記合焦度が所定の閾値以上となる画像を眼の合焦画像であると判定する合焦画像判定部とを備えたことを特徴とする画像撮影装置。
【請求項２】
互いに撮影距離の異なる位置での被写体の画像を撮影する画像撮影部と、
前記画像撮影部で撮影された複数の画像のそれぞれの合焦度を算出する合焦度算出部と、
前記被写体が眼鏡を着用しているか否かを判定する眼鏡着用判定部と、
前記眼鏡着用判定部において前記被写体が眼鏡を着用していると判定された場合に、前記複数の画像のうち、前記撮影距離と前記画像の合焦度との関係において、前記被写体が近づくに従って前記合焦度が第１の極大を示すように変化した後に第２の極大を示すように変化したとき、前記合焦度が所定の閾値以上であり、かつ、前記撮影距離が前記第２の極大に対応する撮影距離よりも近い画像を眼の合焦画像であると判定する合焦画像判定部とを備えたことを特徴とする画像撮影装置。
【請求項３】
前記眼鏡着用判定部において前記被写体が眼鏡を着用していないと判定された場合に、前記合焦画像判定部は、前記複数の画像のうち、前記被写体から最も離れた位置において前記合焦度が所定の閾値以上となる画像を眼の合焦画像であると判定することを特徴とする請求項１または請求項２に記載の画像撮影装置。
【請求項４】
前記眼鏡着用判定部は、前記画像撮影部で撮影された画像のうち、所定の輝度以上の画素が所定の数以上存在する場合に、前記被写体が眼鏡を着用していると判定することを特徴とする請求項１から請求項３までのいずれか１項に記載の画像撮影装置。
【請求項５】
前記眼鏡着用判定部に接続された入力部を備え、前記入力部に所定の入力が行われた場合に、前記眼鏡着用判定部は前記被写体が眼鏡を着用していると判定することを特徴とする請求項１から請求項３までのいずれか１項に記載の画像撮影装置。
【請求項６】
前記被写体に光線を照射する光線照射部を備えたことを特徴とする請求項１から請求項５までのいずれか１項に記載の画像撮影装置。
【請求項７】
前記合焦度算出部において前記合焦度が所定の閾値を超えた場合に、前記光線照射部に照射する光線の強さを増大させる光線照射制御部を備えたことを特徴とする請求項６に記載の画像撮影装置。
【請求項８】
前記被写体に対して、前記撮影距離を前記合焦画像を得られるような距離に誘導する誘導情報を出力する誘導情報出力部を備えたことを特徴とする請求項１から請求項７までのいずれか１項に記載の画像撮影装置。
【請求項９】
前記誘導情報が音声による情報であり、前記合焦度算出部で算出された合焦度の高低にもとづいて、前記誘導情報出力部に前記音声情報の周波数を変調させて出力させる誘導情報出力制御部を備えたことを特徴とする請求項８に記載の画像撮影装置。
【請求項１０】
前記光線照射部から照射される照射光が近赤外光であることを特徴とする請求項６から請求項９までのいずれか１項に記載の画像撮影装置。
【請求項１１】
請求項１から請求項１０までのいずれか１項に記載の画像撮影装置と、
前記合焦画像判定部で判定された前記合焦画像を記憶する合焦画像記憶部と、
前記合焦画像記憶部に記憶された前記合焦画像から認証情報を作成する認証情報作成部と、
あらかじめ登録された登録認証情報と前記認証情報作成部で作成された前記認証情報とを比較照合する比較照合部とを備えたことを特徴とする認証装置。
【請求項１２】
前記認証情報作成部は、前記被写体の画像から得られる虹彩画像をコード化することにより前記認証情報を作成することを特徴とする請求項１１に記載の認証装置。
【発明の詳細な説明】
【０００１】
【発明の属する技術分野】
本発明は、被写体の画像を撮影する画像撮影装置、および、撮影された画像から取得される認証情報を用いて被写体の本人認証を行う認証装置に関する。
【０００２】
【従来の技術】
近年、個人情報や機密情報等の重要な情報へのアクセスを制限したり、セキュリティ性の高い部屋への入退室管理等を行うにあたって、虹彩、指紋、顔または網膜等の人体の個体別に特有の情報（いわゆるバイオメトリクス情報）を認証情報として用いて本人認証を行う認証装置が実用化されてきている。
【０００３】
例えば、被写体の眼周辺の画像（以下、眼画像と記す）を撮影し、その眼画像の虹彩部分をコード化することによって認証情報を作成し、その被写体から取得された認証情報とあらかじめ登録された認証情報を比較照合することによって、被写体の本人認証を行う虹彩認証技術が提案され、実用化されてきている（例えば、特許文献１を参照。）。
【０００４】
このような虹彩認証技術を用いた認証装置（以下、虹彩認証装置と記す）においては、その用途に応じて据え置き型やハンディ型等様々な装置構成が提案されており、これらの虹彩認証技術を用いた虹彩認証装置においては、いかにして被写体の眼の位置を虹彩認証装置の画像撮影部の画角内に収めるよう適切に誘導するかが大きな課題となっていた。
【０００５】
この課題を解決するために、例えばハンディ型の虹彩認証装置において、あらかじめ虹彩認証装置の所定の位置に２枚の鏡が配置されて、被認証者は自分の眼が虹彩認証装置の２枚の鏡に映る位置に自ら装置を手に持って移動させることにより、適切な位置に眼の位置を誘導することができる構成が提案されてきた（例えば、特許文献２を参照。）。
【０００６】
【特許文献１】
特許第３３０７９３６号公報
【特許文献２】
特開２０００−２０７５３６号公報
【０００７】
【発明が解決しようとする課題】
しかしながら、前述のようなハンディ型の虹彩認証装置においては、被認証者である被写体が眼鏡をかけている場合には、その検知のための有効な対策が図られてこなかった。
【０００８】
さらに、一般に虹彩認証装置においては、コントラストの高い虹彩パターンの画像を撮影するため、被写体の眼に近赤外光（波長約７００ｎｍ〜約１０００ｎｍ）を照射し、その反射像を撮影する。このため、被写体が眼鏡をかけている場合には、眼に照射された近赤外光が眼鏡レンズの表面および裏面（以下、レンズ面と略記する）で反射してその反射像が映りこみとして撮影される。この映りこみが眼画像の虹彩の部分にも悪影響を及ぼすので、良好な虹彩パターンの画像を確実に撮影することができないという課題があった。
【０００９】
本発明はこのような課題に鑑み、ハンディ型の認証装置において、被写体が眼鏡をかけている場合にそれを検知でき、かつ、良好な虹彩パターンの画像を撮影することができる画像撮影装置およびそれを用いた認証装置を提供することを目的とする。
【００１０】
【課題を解決するための手段】
本発明の画像撮影装置は、互いに撮影距離の異なる位置での被写体の画像を撮影する画像撮影部と、画像撮影部で撮影された複数の画像のそれぞれの合焦度を算出する合焦度算出部と、被写体が眼鏡を着用しているか否かを判定する眼鏡着用判定部と、眼鏡着用判定部において被写体が眼鏡を着用していると判定された場合に、複数の画像のうち、被写体に最も近い位置において合焦度が所定の閾値以上となる画像を眼の合焦画像であると判定する合焦画像判定部とを備えたことを特徴としている。
【００１１】
このような構成とすることにより、眼鏡着用判定部を備えているので、被写体が眼鏡を着用しているか否かを判定することができる。さらに、眼鏡着用判定部で被写体が眼鏡を着用していると判定された場合に、合焦度が所定の閾値以上であり、かつ、撮影距離が最も短い画像を合焦画像と判定するので、眼鏡のレンズ面における反射像が眼画像、特に虹彩の画像に及ぼす悪影響を低減でき、良好な虹彩のパターンを有する眼の合焦画像を得ることができる。
【００１２】
次に、本発明の画像撮影装置は、互いに撮影距離の異なる位置での被写体の画像を撮影する画像撮影部と、画像撮影部で撮影された複数の画像のそれぞれの合焦度を算出する合焦度算出部と、被写体が眼鏡を着用しているか否かを判定する眼鏡着用判定部と、眼鏡着用判定部において被写体が眼鏡を着用していると判定された場合に、複数の画像のうち、撮影距離と画像の合焦度との関係において、被写体が近づくに従って合焦度が第１の極大を示すように変化した後に第２の極大を示すように変化したとき、合焦度が所定の閾値以上であり、かつ、撮影距離が第２の極大に対応する撮影距離よりも近い画像を眼の合焦画像であると判定する合焦画像判定部とを備えたことを特徴としている。
【００１３】
このような構成とすることにより、眼鏡着用判定部を備えているので、被写体が眼鏡を着用しているか否かを判定することができる。さらに、眼鏡着用判定部で被写体が眼鏡を着用していると判定された場合に、合焦度が所定の閾値以上であり、かつ、撮影距離が第２の極大に対応する撮影距離よりも近い画像を合焦画像と判定するので、眼鏡のレンズ面における反射像が眼画像、特に虹彩の画像に及ぼす悪影響を低減した良好な眼の合焦画像を得ることができる。
【００１４】
また、眼鏡着用判定部において被写体が眼鏡を着用していないと判定された場合に、合焦画像判定部は、複数の画像のうち、被写体から最も離れた位置において合焦度が所定の閾値以上となる画像を眼の合焦画像であると判定する構成によれば、被写体が眼鏡を着用していない裸眼の場合に、良好な虹彩パターンの合焦画像を得ることができ、被写体の眼鏡着用の有無にかかわらず、認証に好適な眼の合焦画像を得ることができる。
【００１５】
また、眼鏡着用判定部は、画像撮影部で撮影された画像のうち、所定の輝度以上の画素が所定の数以上存在する場合に、被写体が眼鏡を着用していると判定する構成であってもよい。
【００１６】
このような構成によれば、被写体である被認証者が自ら入力等を行うことなく、被認証者が眼鏡を着用しているか否かを判定することができる。
【００１７】
また、眼鏡着用判定部に接続された入力部を備え、入力部に所定の入力が行われた場合に、眼鏡着用判定部は被写体が眼鏡を着用していると判定する構成であってもよい。
【００１８】
このような構成とすることにより、簡易な構成で眼鏡着用判定を行うことが可能となり、ユーザにとって使いやすい画像撮影装置が実現できる。
【００１９】
また、被写体に光線を照射する光線照射部を備えた構成であってもよい。
【００２０】
このような構成とすることにより、よりコントラストの高い眼の画像を撮影することができる。
【００２１】
さらに、合焦度算出部において合焦度が所定の閾値を超えた場合に、光線照射部に照射する光線の強さを増大させる光線照射制御部を備えた構成であってもよい。
【００２２】
このような構成とすることにより、合焦度が所定の閾値を超えた後に光線照射部に光線の強度を増大させるので、よりコントラストの高い眼の画像を撮影することができると共に、所定の合焦度が得られるまでは光線の強度が低くてよいので、消費電力の低減を図ることができ、ハンディ型の装置への搭載に適した画像撮影装置が実現できる。
【００２３】
また、被写体に対して、撮影距離を合焦画像を得られるような距離に誘導する誘導情報を出力する誘導情報出力部を備えた構成であってもよい。
【００２４】
このような構成とすることにより、被認証者に対して、合焦画像が得られるような位置に誘導する誘導情報が出力されるので、被認証者が自ら画像撮影装置の位置を合焦画像が得られる位置に移動させる際の負担を小さくすることができる。
【００２５】
さらに、誘導情報が音声による情報であり、合焦度算出部で算出された合焦度の高低にもとづいて、誘導情報出力部に音声情報の周波数を変調させて出力させる誘導情報出力制御部を備えた構成であってもよい。
【００２６】
このような構成とすることにより、合焦度が高くなるほど音声情報の周波数が高くなる構成や、逆に低くなる構成が実現できるので、より被認証者に負担の少ない誘導方法が実現できる。
【００２７】
さらに、光線照射部から照射される照射光が近赤外光である構成であってもよい。
【００２８】
このような構成とすることにより、虹彩の高コントラストな画像を撮影することが可能となる。
【００２９】
次に本発明の認証装置は、前述の本発明の画像撮影装置と、合焦画像判定部で判定された合焦画像を記憶する合焦画像記憶部と、合焦画像記憶部に記憶された合焦画像から認証情報を作成する認証情報作成部と、あらかじめ登録された登録認証情報と認証情報作成部で作成された認証情報とを比較照合する比較照合部とを備えたことを特徴としている。
【００３０】
このような構成により、簡易な構成で被認証者の眼鏡検出が可能であり、眼鏡が着用されている場合にも良好な眼画像の撮影が可能で、認証率の高い、小型の認証装置が実現できる。
【００３１】
また、認証情報作成部は、被認証者の画像から得られる虹彩画像をコード化することにより認証情報を作成する構成であってもよい。
【００３２】
このような構成により、虹彩画像をコード化した認証情報を用いて高い本人認証率を実現できる。
【００３３】
【発明の実施の形態】
以下、本発明の実施の形態として、本発明の画像撮影装置および認証装置について、図面を用いて説明する。
【００３４】
図１は、本発明の実施の形態における画像撮影装置および認証装置の構成を示すブロック図である。また、図２は本発明の実施の形態における認証装置の使い方について説明する図である。さらに、図３は本発明の実施の形態における認証装置を搭載した携帯電話装置の外観を示す図である。
【００３５】
まず、本発明の画像撮影装置１は、被認証者の眼２を撮影し、焦点の合った眼画像（以下合焦画像と記す）を出力する。また、本発明の認証装置３は、画像撮影装置１から出力された画像から認証情報として虹彩コードを作成し、あらかじめ記憶された登録認証情報と比較照合することによって、被認証者を本人認証する。また、図２に示したように、本発明の認証装置３は、被認証者が筐体を手に持って接近させながら画像撮影および認証を行う。
【００３６】
図１に戻って、本発明の実施の形態における画像撮影装置１は、被認証者の眼画像を一定時間毎、例えば３０分の１秒毎に撮影することにより、互いに撮影距離の異なる位置での画像を撮影する画像撮影部４、画像撮影部４で撮影された画像の焦点の合い度合い（以下、合焦度と記す）を算出する合焦度算出部５、画像撮影部４に接続され、撮影された画像中に所定の輝度以上の部分が検出された場合に被認証者が眼鏡を着用していると判定する眼鏡着用判定部６、合焦度算出部５で算出された合焦度が所定の閾値以上にあるか否かによって、画像撮影部４で撮影された画像が合焦画像であるか否かを判定する合焦画像判定部７、被認証者の眼２に近赤外光を照射する光線照射部８、光線照射部８から照射される光線の強度を制御する光線照射制御部９、被認証者に対して後述する誘導情報を出力する誘導情報出力部１０、および、誘導情報出力部１０から出力される誘導情報の出力制御を行う誘導情報出力制御部１１を備える。
【００３７】
画像撮影部４は、光学系を用いて、一定時間毎に画像を撮影できる公知の装置で実現可能である。
【００３８】
合焦度算出部５は、画像撮影部４で撮影された画像毎の高周波数成分を取り出して積分するいわゆるハイパスフィルタを用いることができる。
【００３９】
眼鏡着用判定部６は、画像撮影部４で撮影された画像のうち、眼鏡のフレーム等での反射光の影響により、所定の輝度以上の画素が所定の数以上存在する場合に被写体である被認証者が眼鏡をかけていると判定する構成であってもよいし、入力部（図示せず）が眼鏡着用判定部６に接続され、入力部から所定の入力があった場合に被認証者が眼鏡をかけていると判定する構成であってもよい。ここで、所定の入力の方法としては例えば、所定のダイレクトキーの長押しや、スタートキーの二度押し等の各種ユーザが覚えやすい操作を行わせるという方法が実際的である。
【００４０】
合焦画像判定部７は、合焦度算出部５で算出された画像毎の合焦度が所定の閾値以上であれば合焦画像であると判定し、所定の閾値以下であれば、合焦画像でないと判定して、合焦画像を出力する。
【００４１】
なお、合焦度算出部５、眼鏡着用判定部６および合焦画像判定部７の機能はソフトウェアによっても実現することができる。
【００４２】
光線照射部８としては、例えば近赤外光線を発生する公知の発光ダイオード（ＬＥＤ）を用いることができる。
【００４３】
誘導情報出力部１０は、被認証者に対して、後述のように音や光線等を用いて被認証者の眼２の位置を所定の位置に誘導させる。
【００４４】
次に、本発明の認証装置３は、前述した本発明の画像撮影装置１、画像撮影装置１の合焦画像判定部７から出力された合焦画像を記憶する合焦画像記憶部１２、合焦画像記憶部１２に記憶された画像を用いて公知の方法（例えば、特許文献１に記載の方法を参照。）で認証情報である虹彩コードを作成する認証情報作成部１３、記憶部１４に記憶された登録認証情報１５と認証情報作成部１３で作成された認証情報とを比較照合する比較照合部１６、および、比較照合部１６で比較照合された結果、すなわち一致または不一致のいずれかを表示する表示部１７とを備える。
【００４５】
合焦画像記憶部１２としては公知のフレームメモリ等を用いることができ、記憶部１４としては、公知のディスク装置やメモリ等を適宜用いることができる。
【００４６】
また、認証情報作成部１３における画像からの虹彩コードの作成方法、および、比較照合部１６における認証情報同士の比較照合方法については、例えば前述の特許文献１に記載された方法を用いることが可能であるが、本発明の認証装置３はこの方法に限定されるものではなく、パターンマッチング等あらゆる公知の方法を用いて認証情報の作成および照合を行うことができる。
【００４７】
さらに、表示部１７には、公知の表示手段、例えば液晶ディスプレイやＬＥＤ等を用いることができる。
【００４８】
次に、本発明の認証装置３の各構成は、例えば図３に示す携帯電話装置２０の内部に組み込まれて使用される。
【００４９】
ここで携帯電話装置２０は、音声通話時に使用するマイクロフォン部２１およびスピーカ部２２、相手先の電話番号の入力、メール等のテキスト情報の入力およびＵＲＬ等のキー入力を行う入力部であるキー部２３、電波の送受信を行うアンテナ部２４、液晶ディスプレイ、ＥＬ、ＬＥＤ等の表示部１７を備えた公知の携帯電話装置に、本発明の実施の形態における認証装置３が搭載されている。なお、本発明の実施の形態における携帯電話装置２０として、上側筐体２８と下側筐体２９とが蝶番部２７で折りたたみ自在に連結された構成を示したが、本発明はその形態を限定するものではない。
【００５０】
本発明の実施の形態における携帯電話装置２０においては、上側筐体２８の表示部１７の図３において下側に一対の光線照射部８、および、光線照射部８の間に孔部２５を有する鏡部２６を備え、さらに、孔部２５を介して画像撮影部４の光学系が見える構成となっている。ここで一対の光線照射部８を設けたのは、虹彩コードを作成するに充分なコントラストの高い、ぶれの少ない眼画像を撮影するためである。
【００５１】
鏡部２６は後述するように、被認証者の眼２の位置を所定の位置に誘導するために用いられる。
【００５２】
前述したような本発明の実施の形態における認証装置３の動作について、図面を用いて順を追って説明する。
【００５３】
図４は、本発明の実施の形態における認証装置３の動作ステップを示すフローチャートである。
【００５４】
まず、被認証者がキー部２３を操作することによって認証装置３による認証が開始されると、光線照射制御部９は光線照射部８に光線を照射させる。これにより、被認証者の眼２は近赤外光によって照射される（Ｓ１）。
【００５５】
ここで、被認証者は自分の眼２が鏡部２６に映るような位置で黒眼、すなわち眼２の虹彩の部分が孔部２５にちょうど重なる位置に、認証装置３を移動させる。これにより、被認証者は、自分の眼２を画像撮影部４の光学系の光軸上に配置することが可能となる。すなわち眼２の位置を、図２におけるＸ軸方向およびＹ軸方向に認識可能な位置関係となるよう誘導することができる。さらに被認証者は、図２におけるＺ軸方向（紙面に向かって右方向）、すなわち自分に近づけるように認証装置３を移動させる。
【００５６】
次に、画像撮影部４は、被認証者が認証装置３を自分に近づけるように移動させる間、一定時間毎、すなわち間欠的に画像の撮影を行う（Ｓ２）。
【００５７】
撮影された画像は画像撮影部４から合焦度算出部５および眼鏡着用判定部６に送られて、合焦度算出部５においては前述のように画像から高周波数成分を取り出すことによって、合焦度を算出する（Ｓ３）。
【００５８】
眼鏡着用判定部６では、送られた画像中に所定の輝度以上の画素数をカウントして、カウントされた画素数が所定の閾値以上であった場合に、被認証者が眼鏡を着用していると判定する（Ｓ４）。一方、画像は合焦画像判定部７に送られ、後述のように合焦画像であるか否かが判定される。
【００５９】
なお、眼鏡着用判定部６として、前述のように接続された入力部からの所定のキー入力が行われた場合に被写体が眼鏡を着用していると判定する構成である場合には、ステップＳ４において、入力部から所定のキー入力が行われた場合に被写体が眼鏡を着用していると判定する。
【００６０】
眼鏡着用判定部６において被認証者が眼鏡を着用しているか否かが判定された結果は合焦画像判定部７に送られ、眼鏡着用の有無に応じて異なる合焦画像の判定がなされる（Ｓ５、Ｓ６）。
【００６１】
次に、本発明の認証装置３の合焦画像判定部７における合焦画像の判定処理内容について、詳細に説明する。
【００６２】
図５は、本発明の実施の形態における認証装置３の合焦画像判定部７の機能を説明するための図である。ここでは、被認証者が認証装置３を手に持ち、近づけながら認証を行う場合を例として示す。
【００６３】
図５に示したグラフは、画像が撮影された時刻に対する合焦度の関係（以下、合焦度曲線と記す）を示すグラフである。図５に示したグラフにおいては、縦軸は画像毎に合焦度算出部５において、装置を近づけながら所定の時間間隔で撮影した画像の合焦度であり、横軸は画像が撮影された時刻である。なお、ここでは被認証者が認証装置３を近づけながら所定の時間間隔で撮影を行うので横軸は、すなわち撮影距離を示し、向かって右方向（時間が経過する方向）に行くに従って撮影距離は近くなる。
【００６４】
図５に示すように、まず、被認証者が眼鏡を着用していない場合、すなわち裸眼の場合には、被認証者が認証装置３を近づけるに従って、破線で示すように、合焦度が徐々に高くなり、虹彩にピントが合った（合焦）状態で極大４１を示して、さらに近づけると低下していく。このように、被験者が眼鏡を着用していない裸眼の状態においては、距離の変化にともなう合焦度が示す極大４１となる値の数は１つである。
【００６５】
このような場合、合焦画像判定部７は図５における破線の合焦度曲線において、初めて所定の閾値ＴＨ以上に達した合焦度Ｐ１が得られた画像を合焦画像であると判定する（Ｓ６）。
【００６６】
このようにして合焦画像であると判定された画像の一例を図６（ａ）に示す。図６（ａ）に示すように、裸眼における合焦画像５１においては、光線照射部８の角膜における反射像３０は瞳孔の部分に映りこんでおり、虹彩の領域にはかからない。よって、良好な虹彩の画像を撮影することができる。
【００６７】
なお、被認証者が裸眼である場合には、合焦画像判定部７は図５における閾値ＴＨの範囲内、すなわち合焦度Ｐ１から合焦度Ｐ２までの間に撮影された画像を眼の合焦画像５１とすればよい。さらに被認証者が認証装置３を近づけながら撮影を行う構成においては、合焦度Ｐ１において撮影された画像を眼の合焦画像５１としたほうが、眼の合焦画像５１の判定を迅速に行うことができる。
【００６８】
このように、眼鏡着用判定部６において、被認証者が眼鏡を着用していないと判定された場合には、合焦画像判定部７は、前述の合焦度Ｐ１において撮影された画像を合焦画像５１とする。なお、被認証者が認証装置３を遠ざけながら撮影を行う構成の場合には、合焦度Ｐ２において撮影された画像を眼の合焦画像５１としたほうが、合焦画像５１の判定を迅速に行うことができることはいうまでもない。このような場合には、合焦画像判定部７は、合焦度Ｐ２において撮影された画像を合焦画像５１とする。
【００６９】
一方、図５に実線で示したように、被認証者が眼鏡を着用している場合においては、被認証者が認証装置３を近づけた場合、合焦度が徐々に高くなり、第１の極大４２を超えて低くなった後に極小４４を超えると再び高くなり、第２の極大４３を示し、その後、低下する。距離を近づけるに従って現れる第１の極大４２は眼鏡のフレームやレンズ面等に合焦したことを示す極大であり、次に現れる第２の極大４３は虹彩に合焦することによって現れるピークである。
【００７０】
よって、前述のステップＳ４において、眼鏡着用判定部６から合焦画像判定部７に対して、被写体が眼鏡を着用していることを示す信号が送られてきた場合には、合焦画像判定部７は、図５における実線の合焦度曲線において、所定の閾値ＴＨ以上の合焦度である画像のうち、第２の極大４３における紙面に向かって右側、すなわち距離の近い側の合焦度Ｐ５に対応する画像を合焦画像であるとして判定する（Ｓ５）。
【００７１】
この理由について説明する。図６（ｂ）〜図６（ｄ）は、撮影された眼画像の一例である。
【００７２】
図６（ｂ）は、図５における第１の極大４２の距離が遠い側（図５における左側）において合焦度が所定の閾値ＴＨを超える合焦度Ｐ３に対応する画像５２である。図６（ｂ）に示したように、画像５２は、眼鏡のレンズ面やフレーム等にピントが合っている（合焦している）ために合焦度が高くなっており、虹彩にはピントが合っていない。さらに画像５２においては、光線照射部８のレンズ面における映りこみ３１が虹彩周辺にかかっており、この影響で虹彩の画像を取得することが難しい。
【００７３】
次に、図６（ｃ）は、図５における第２の極大４３の遠い側（図５における左側）において合焦度が所定の閾値ＴＨを超える合焦度Ｐ４に対応する画像５３である。画像５３においては、虹彩にピントが合っているものの、光線照射部８のレンズ面における映りこみ３１が、まだ虹彩付近にかかっており、この影響で虹彩の良好な画像を取得することが難しい。
【００７４】
さらに、図６（ｄ）は、被認証者が認証装置３をさらに近づけて、図５における第２の極大４３の近い側（図５における右側）において合焦度が閾値ＴＨを超えている合焦度Ｐ５に対応する画像５４である。画像５４においては、虹彩にピントが合っていると共に、光線照射部８の映りこみ３１は虹彩領域よりも外側の白眼の領域にかかっている。
【００７５】
このような、図５における第２の極大４３の近い側（図５における右側）における合焦度が閾値ＴＨを超える合焦度Ｐ５に対応する画像５４を合焦画像とすることで、良好な虹彩の画像を撮影することが可能となる。なお、被認証者が認証装置３を近づけながら撮影を行う構成または遠ざけながら撮影を行う構成のいずれの構成においても、前述の合焦度Ｐ５に対応する画像５４を合焦画像とすることが望ましい。
【００７６】
図４に戻って、前述のステップＳ５およびＳ６における合焦画像判定が行われた際に、合焦画像が得られていない間には、ステップＳ２に戻って、さらに画像の撮影が行われる。一方、合焦画像が得られた場合には、合焦画像判定部７から合焦画像記憶部１２に合焦画像が送られる（Ｓ７）。
【００７７】
合焦画像記憶部１２に記憶された合焦画像は、認証情報作成部１３に送られて、あらかじめ記憶部１４に記憶された登録認証情報１５と認証情報作成部１３で作成された認証情報とが比較照合部１６において比較認証されて、その結果が表示部１７に表示される（Ｓ８）。
【００７８】
なお、このステップＳ８での認証処理については、例えば特許文献１に記載された方法の他、各種公知の方法を用いることができる。
【００７９】
なお、光線照射制御部９は、合焦度算出部５において算出された合焦度が所定の閾値ＬＴＨを超えた場合に、光線照射部に対して照射する光線の強度を増大させる構成であってもよい。このような構成とすることにより、合焦度が所定の閾値ＬＴＨ以下である場合には比較的低い強度の光線を照射させるので、装置全体の低消費電力化を図ることが可能となる。
【００８０】
また、誘導情報出力制御部１１が、合焦度算出部５において算出された合焦度の変化にともなって、異なる誘導情報を出力するように誘導情報出力部１０を制御する構成であってもよい。例えば、誘導情報が音である場合に、合焦度が高くなるほど、誘導音の周波数を上げたり、逆に下げたりすれば、被認証者が、自らの距離を誘導しやすい構成が実現できる。
【００８１】
なお、本発明の実施の形態の画像撮影装置１は、認証装置３の内部に搭載された構成を用いて説明を行ったが、本発明の画像撮影装置１はこれに限定されず、画像撮影装置単独で用いられたり、他の情報装置等に搭載される構成であってもよいことはいうまでもない。
【００８２】
さらに、本発明の実施の形態における画像撮影装置１においては、被認証者が画像撮影装置１を自ら動かして撮影を行う構成を示したが、本発明の画像撮影装置１はこれに限定されず、公知の移動手段によって画像撮影装置１が被写体に対して移動する構成も本発明の画像撮影装置に含まれることはいうまでもない。
【００８３】
なお、本発明の実施の形態における画像撮影装置１においては、その被写体が眼鏡をかけている場合にも、良好な眼画像を得ることができる。よって、本発明の実施の形態における認証装置３では、その認証情報を眼画像から作成した虹彩コードであるとして説明を行ったが、本発明の認証装置はこれに限定されず、例えば眼底の血管パターン等、人の眼画像から作成されるあらゆる認証情報を用いることができるのはいうまでもない。
【００８４】
【発明の効果】
以上述べたように、本発明によれば、ハンディ型の認証装置において、眼鏡着用判定部を備えているので、被写体が眼鏡を着用しているか否かを判定することができる。さらに、眼鏡着用判定部で被写体が眼鏡を着用していると判定された場合に、合焦度が所定の閾値以上であり、かつ、撮影距離が最も短い画像を合焦画像と判定するので、眼鏡のレンズ面における反射像が眼画像、特に虹彩の画像に及ぼす悪影響を低減でき、良好な虹彩のパターンを有する認証に適した合焦画像を得ることができる画像撮影装置およびそれを用いた認証装置を提供できる。
【図面の簡単な説明】
【図１】本発明の実施の形態における画像撮影装置および認証装置の構成を示すブロック図
【図２】本発明の実施の形態における認証装置の使い方について説明する図
【図３】本発明の実施の形態における認証装置を搭載した携帯電話装置の外観を示す図
【図４】本発明の実施の形態における認証装置の動作ステップを示すフローチャート
【図５】本発明の実施の形態における認証装置の合焦画像判定部の機能を説明するための図
【図６】（ａ）は本発明の実施の形態における合焦画像であると判定された画像の一例を示す図
（ｂ）〜（ｄ）は本発明の実施の形態における実際に撮影された眼画像の一例を示す図
【符号の説明】
１  画像撮影装置
２  （被認証者の）眼
３  認証装置
４  画像撮影部
５  合焦度算出部
６  眼鏡着用判定部
７  合焦画像判定部
８  光線照射部
９  光線照射制御部
１０  誘導情報出力部
１１  誘導情報出力制御部
１２  合焦画像記憶部
１３  認証情報作成部
１４  記憶部
１５  登録認証情報
１６  比較照合部
１７  表示部
２０  携帯電話装置
２１  マイクロフォン部
２２  スピーカ部
２３  キー部
２４  アンテナ部
２５  孔部
２６  鏡部
２７  蝶番部
２８  上側筐体
２９  下側筐体
３０  反射像
３１  映りこみ
４１  極大
４２  第１の極大
４３  第２の極大
４４  極小
５１  合焦画像
５２〜５４  画像
【図１】
2004328367.tif 000003
【図２】
2004328367.tif 000004
【図３】
2004328367.tif 000005
【図４】
2004328367.tif 000006
【図５】
2004328367.tif 000007
【図６】
2004328367.tif 000008